(57)【要約】      （修正有）【課題】文字列の入力の操作性を向上させることで、ユーザの視覚的、感覚的な負担の軽減、及び文字列の入力時間の短縮を図る。【解決手段】入力される文字列を取得する文字入力手順と、取得した文字列を含む単語について、文字列と文字列の前後の文字列との関連性から、最適な変換候補を予測する変換予測を行う文字変換予測手順と、決定される可能性が高い順に並び換えた変換予測候補を抽出して表示する予測抽出手順と、１以上の変換予測候補が抽出された場合、補助入力キーが押下されることによって予測割当指示を取得し、予測抽出手順において抽出された変換予測候補を、文字入力キーと同じ配置へ割り当てる予測割当手順と、割当判定手順において文字入力キーの全てに割り当てられている場合に、文字入力キーが押下されることによって最終予測候補指示を取得し、変換決定手順において決定した最終予測候補を表示する表示手順とを有する携帯機器の制御方法。【選択図】図１
2011238012.tif 000002
【特許請求の範囲】
【請求項１】
少なくとも一つの文字入力キーが押下されることによって入力される文字列を取得する文字入力手順と、
前記文字入力手順において取得した前記文字列を含む単語について、前記文字列と前記文字列の前後の文字列との関連性から、最適な変換候補を予測する変換予測を行う文字変換予測手順と、
前記文字変換予測手順において変換予測した文字列について、変換後に決定される可能性が高い順に並び換え、並び換えた１以上の変換予測候補を抽出して表示する予測抽出手順と、
前記予測抽出手順において、前記１以上の変換予測候補が抽出されたか否か判定する予測判定手順と、
補助入力キーが押下されることによって予測割当指示を取得し、前記予測抽出手順において抽出された前記１以上の変換予測候補を、前記文字入力キーと同じ配置へ割り当てる予測割当手順と、
前記予測割当手順において、前記予測判定手順で抽出されたと判定された前記１以上の変換予測候補が、前記文字入力キーの全てに割り当てられたか否か判定する割当判定手順と、
前記割当判定手順において前記文字入力キーの全てに割り当てられている場合に、前記文字入力キーが押下されることによって最終予測候補指示を取得し、前記割り当てられた変換予測候補の中から、押下された文字入力キーに対応する予測変換候補を最終予測候補として決定する変換決定手順と、
前記変換決定手順において決定した前記最終予測候補を表示する表示手順と、
を順に有する携帯機器の制御方法。
【請求項２】
前記予測割当手順において、前記文字入力キー及び前記補助入力キーが同時に押下された場合は、前記割当判定手順において、前記予測判定手順で抽出されたと判定された前記１以上の変換予測候補が、前記文字入力キーの全てに割り当てられたか否か判定することを特徴とする請求項１に記載の携帯機器の制御方法。
【請求項３】
前記変換決定手順において、前記割当判定手順で全ての前記文字入力キーの一部に割り当てられている場合に、前記文字入力キーが押下されることによって、前記割り当てられた変換予測候補の中から、押下された文字入力キーに対応する変換予測候補を最終予測候補として決定することを特徴とする請求項１又は２に記載の携帯機器の制御方法。
【請求項４】
前記１以上の変換予測候補の数は、前記文字入力キーの数以下であることを特徴とする請求項１から３のいずれかに記載の携帯機器の制御方法。
【請求項５】
前記１以上の変換予測候補は、特定の文字入力キーには割り当てられないことを特徴とする請求項１から４のいずれかに記載の携帯機器の制御方法。
【請求項６】
前記補助入力キーは、前記１以上の変換予測候補が割り当てられていない文字入力キーであることを特徴とする請求項１から５のいずれかに記載の携帯機器の制御方法。
【請求項７】
押下されることによって入力される文字列を取得する少なくとも一つの文字入力部と、
前記文字入力部において取得した前記文字列を含む単語について、前記文字列と前記文字列の前後の文字列との関連性から、最適な変換候補を予測する変換予測を行う文字変換予測部と、
前記文字変換予測部において変換予測した文字列について、変換後に決定される可能性が高い順に並び換え、並び換えた１以上の変換予測候補を抽出して表示する予測抽出部と、
前記予測抽出部において、前記１以上の変換予測候補が抽出されたか否か判定する予測判定部と、
押下されることで、前記予測抽出部において抽出された前記１以上の変換予測候補を、前記文字入力部と同じ配置へ割り当てる指示である予測割当指示を取得する補助入力部と、
前記補助入力部が押下されることによって予測割当指示を取得し、前記予測抽出部において抽出された前記１以上の変換予測候補を、前記文字入力部と同じ配置へ割り当てる予測割当部と、
前記予測割当部において、前記予測判定部で抽出されたと判定された前記１以上の変換予測候補が、前記文字入力部の全てに割り当てられたか否か判定する割当判定部と、
前記割当判定部において前記文字入力部の全てに割り当てられている場合に、前記文字入力部が押下されることによって最終予測候補指示を取得し、前記割り当てられた変換予測候補の中から、押下された文字入力部に対応する予測変換候補を最終予測候補として決定する変換決定部と、
前記変換決定部において決定した前記最終予測候補を表示する表示部とを備える携帯機器。
【請求項８】
前記予測割当部において、前記文字入力部及び前記補助入力部が同時に押下された場合は、前記割当判定部において、前記予測判定部で抽出されたと判定された前記１以上の変換予測候補が、前記文字入力部の全てに割り当てられたか否か判定することを特徴とする請求項７に記載の携帯機器。
【請求項９】
前記変換決定部において、前記割当判定部で全ての前記文字入力部の一部に割り当てられている場合に、前記文字入力部が押下されることによって、前記割り当てられた変換予測候補の中から、押下された文字入力部に対応する変換予測候補を最終予測候補として決定することを特徴とする請求項７又は８に記載の携帯機器。
【請求項１０】
少なくとも一つの文字入力キーが押下されることによって入力される文字列を取得する文字入力ステップと、
前記文字入力ステップにおいて取得した前記文字列を含む単語について、前記文字列と前記文字列の前後の文字列との関連性から、最適な変換候補を予測する変換予測を行う文字変換予測ステップと、
前記文字変換予測ステップにおいて変換予測した文字列について、変換後に決定される可能性が高い順に並び換え、並び換えた１以上の変換予測候補を抽出して表示する予測抽出ステップと、
前記予測抽出ステップにおいて、前記１以上の変換予測候補が抽出されたか否か判定する予測判定ステップと、
補助入力キーが押下されることによって予測割当指示を取得し、前記予測抽出ステップにおいて抽出された前記１以上の変換予測候補を、前記文字入力キーと同じ配置へ割り当てる予測割当ステップと、
前記予測割当ステップにおいて、前記予測判定ステップで抽出されたと判定された前記１以上の変換予測候補が、前記文字入力キーの全てに割り当てられたか否か判定する割当判定ステップと、
前記割当判定ステップにおいて前記文字入力キーの全てに割り当てられている場合に、前記文字入力キーが押下されることによって最終予測候補指示を取得し、前記割り当てられた変換予測候補の中から、押下された文字入力キーに対応する予測変換候補を最終予測候補として決定する変換決定ステップと、
前記変換決定ステップにおいて決定した前記最終予測候補を表示する表示ステップと、
を順に携帯機器に実行させる携帯機器の制御プログラム。
【発明の詳細な説明】
【技術分野】
【０００１】
本発明は、携帯機器の制御方法、携帯機器、携帯機器の操作プログラムに関する。
【背景技術】
【０００２】
携帯機器、例えば携帯電話において、入力した文字列の変換後の候補である変換予測候補は、１つの文字列の入力に対して１５個以上表示されることがある。この場合、所望の文字列が見つかったとしても、該当する変換予測候補を選択するまでに手間及び時間がかかり、操作性を著しく損なう。この問題を解決する方法が、以下の文献に提案されている。
【先行技術文献】
【特許文献】
【０００３】
【特許文献１】特開２００７−２０６９７８号公報
【特許文献２】特開２００８−１１８２６８号公報
【発明の概要】
【発明が解決しようとする課題】
【０００４】
上述した特許文献１に示した発明では、変換予測候補を文字入力部に割り当てるが、変換予測候補の決定には選択した文字入力部のボタンを長押しする必要があるため、文字入力の操作の流れを寸断してしまうという問題点があった。
【０００５】
上述した特許文献２に示した発明では、変換予測候補を文字入力部に割り当てるが、変換予測候補の決定には決定キーを押下しなければならず、文字列の入力の操作の流れを寸断してしまうという問題点があった。
【０００６】
そこで、本発明では、文字列の入力の操作性を向上させることで、ユーザの視覚的、感覚的な負担の軽減、及び文字列の入力時間の短縮を図ることができる携帯機器の制御方法、携帯機器、携帯機器の制御プログラムを提供することを目的とする。
【課題を解決するための手段】
【０００７】
上記目的を達成するために、本発明の携帯機器の制御方法は、少なくとも一つの文字入力キーが押下されることによって入力される文字列を取得する文字入力手順と、前記文字入力手順において取得した前記文字列を含む単語について、前記文字列と前記文字列の前後の文字列との関連性から、最適な変換候補を予測する変換予測を行う文字変換予測手順と、前記文字変換予測手順において変換予測した文字列について、変換後に決定される可能性が高い順に並び換え、並び換えた１以上の変換予測候補を抽出して表示する予測抽出手順と、前記予測抽出手順において、前記１以上の変換予測候補が抽出されたか否か判定する予測判定手順と、補助入力キーが押下されることによって予測割当指示を取得し、前記予測抽出手順において抽出された前記１以上の変換予測候補を、前記文字入力キーと同じ配置へ割り当てる予測割当手順と、前記予測割当手順において、前記予測判定手順で抽出されたと判定された前記１以上の変換予測候補が、前記文字入力キーの全てに割り当てられたか否か判定する割当判定手順と、前記割当判定手順において前記文字入力キーの全てに割り当てられている場合に、前記文字入力キーが押下されることによって最終予測候補指示を取得し、前記割り当てられた変換予測候補の中から、押下された文字入力キーに対応する予測変換候補を最終予測候補として決定する変換決定手順と、前記変換決定手順において決定した前記最終予測候補を表示する表示手順とを順に有する。
【０００８】
また、上記目的を達成するために、本発明の携帯機器は、押下されることによって入力される文字列を取得する少なくとも一つの文字入力部と、前記文字入力部において取得した前記文字列を含む単語について、前記文字列と前記文字列の前後の文字列との関連性から、最適な変換候補を予測する変換予測を行う文字変換予測部と、前記文字変換予測部において変換予測した文字列について、変換後に決定される可能性が高い順に並び換え、並び換えた１以上の変換予測候補を抽出して表示する予測抽出部と、前記予測抽出部において、前記１以上の変換予測候補が抽出されたか否か判定する予測判定部と、押下されることで、前記予測抽出部において抽出された前記１以上の変換予測候補を、前記文字入力部と同じ配置へ割り当てる指示である予測割当指示を取得する補助入力部と、前記補助入力部が押下されることによって予測割当指示を取得し、前記予測抽出部において抽出された前記１以上の変換予測候補を、前記文字入力部と同じ配置へ割り当てる予測割当部と、前記予測割当部において、前記予測判定部で抽出されたと判定された前記１以上の変換予測候補が、前記文字入力部の全てに割り当てられたか否か判定する割当判定部と、前記割当判定部において前記文字入力部の全てに割り当てられている場合に、前記文字入力部が押下されることによって最終予測候補指示を取得し、前記割り当てられた変換予測候補の中から、押下された文字入力部に対応する予測変換候補を最終予測候補として決定する変換決定部と、前記変換決定部において決定した前記最終予測候補を表示する表示部とを備える携帯機器。
【０００９】
また、上記目的を達成するために、本発明の携帯機器の制御プログラムは、少なくとも一つの文字入力キーが押下されることによって入力される文字列を取得する文字入力ステップと、前記文字入力ステップにおいて取得した前記文字列を含む単語について、前記文字列と前記文字列の前後の文字列との関連性から、最適な変換候補を予測する変換予測を行う文字変換予測ステップと、前記文字変換予測ステップにおいて変換予測した文字列について、変換後に決定される可能性が高い順に並び換え、並び換えた１以上の変換予測候補を抽出して表示する予測抽出ステップと、前記予測抽出ステップにおいて、前記１以上の変換予測候補が抽出されたか否か判定する予測判定ステップと、補助入力キーが押下されることによって予測割当指示を取得し、前記予測抽出ステップにおいて抽出された前記１以上の変換予測候補を、前記文字入力キーと同じ配置へ割り当てる予測割当ステップと、前記予測割当ステップにおいて、前記予測判定ステップで抽出されたと判定された前記１以上の変換予測候補が、前記文字入力キーの全てに割り当てられたか否か判定する割当判定ステップと、前記割当判定ステップにおいて前記文字入力キーの全てに割り当てられている場合に、前記文字入力キーが押下されることによって最終予測候補指示を取得し、前記割り当てられた変換予測候補の中から、押下された文字入力キーに対応する予測変換候補を最終予測候補として決定する変換決定ステップと、前記変換決定ステップにおいて決定した前記最終予測候補を表示する表示ステップとを順に携帯機器に実行させる。
【発明の効果】
【００１０】
本発明によれば、文字列の入力の操作性を向上させることで、ユーザの視覚的、感覚的な負担の軽減、及び文字列の入力時間の短縮を図ることができる。
【図面の簡単な説明】
【００１１】
【図１】本発明の携帯機器の制御方法の実施形態を示すフローチャートである。
【図２】本発明の携帯機器の構成の実施形態を示すブロック図である。
【図３】本発明の携帯機器の構成の実施形態を示す概略図である。
【図４】本発明の携帯機器の制御プログラムの実施形態を示すフローチャートである。
【発明を実施するための形態】
【００１２】
添付の図面を参照して本発明の実施形態を説明する。以下に説明する実施形態は本発明の実施の例であり、本発明は、以下の実施の例に制限されるものではない。なお、本明細書及び図面において符号が同じ構成要素は、相互に同一のものを示すものとする。
【００１３】
まず、図１を参照して、本発明の携帯機器の制御方法の実施形態を説明する。図１は、本発明の携帯機器の制御方法を示すフローチャートである。図１に示すように、まず、文字入力手順Ｐ１０において、少なくとも一つの文字入力キーが押下されることによって入力される文字列を取得する。文字入力キーとは、例えば、携帯電話のテンキーである。次に、文字変換予測手順Ｐ１１において、文字入力手順Ｐ１０で取得した文字列を含む単語について、文字列と文字列の前後の文字列との関連性から、最適な変換候補を予測する変換予測を行う。そして、予測抽出手順Ｐ１３において、文字変換予測手順Ｐ１１で変換予測した文字列について、変換後に決定される可能性が高い順に並び換え、並び換えた１以上の変換予測候補を抽出して表示する。さらに、予測判定手順Ｐ１４において、予測抽出手順Ｐ１３で１以上の変換予測候補が抽出されたか否か判定する。ここで、予測割当手順Ｐ１５において、補助入力キーが押下されることによって予測割当指示を取得する。予測割当指示とは、予測抽出手順Ｐ１３において抽出された１以上の変換予測候補を、文字入力キーと同じ配置へ割り当てる指示である。
【００１４】
補助入力キーは、押下されることで、予測抽出手順Ｐ１３において抽出された１以上の変換予測候補を、文字入力キーと同じ配置へ割り当てる指示である予測割当指示を取得する。補助入力キーは、例えば、携帯電話のテンキーとは異なる、携帯電話の筐体のいずれかの場所に設けられたキーである。そして、割当判定手順Ｐ１６において、予測判定手順Ｐ１４で抽出されたと判定された１以上の変換予測候補が、文字入力キーの全てに割り当てられたか否か判定する。なお、割り当てられる順序は問わない。文字列と文字列の前後の文字列との関連性から、より最適であると予測された変換候補の隣に、関連性が低いと予測された変換候補が配置されていてもよい。このように配置することで、誤った変換候補を選択する可能性を低くすることができる。さらに、変換決定手順Ｐ１７において、割当判定手順Ｐ１６において文字入力キーの全てに割り当てられている場合に、文字入力キーが押下されることによって最終予測候補指示を取得する。最終予測候補指示とは、割り当てられた変換予測候補の中から、押下された文字入力キーに対応する予測変換候補を最終予測候補として決定することである。そして、表示手順Ｐ１８において、変換決定手順Ｐ１７で決定した最終予測候補を表示する。
【００１５】
以上説明したように、文字列の入力の操作性を向上させることで、ユーザの視覚的、感覚的な負担の軽減、及び文字列の入力時間の短縮を図ることができる。
【００１６】
また、予測割当手順Ｐ１５において、文字入力キー及び補助入力キーが同時に押下された場合は、割当判定手順Ｐ１６において、予測判定手順Ｐ１４で抽出されたと判定された１以上の変換予測候補が、文字入力キーの全てに割り当てられたか否か判定してもよい。文字入力キー及び補助入力キーを同時に押下することで、文字入力中、又は文字変換中いずれかを確実に判断できる。よって、文字列の入力の操作性を向上させ、ユーザの視覚的、感覚的な負担の軽減、及び文字列の入力時間の短縮を図ることができる。
【００１７】
また、変換決定手順Ｐ１７において、割当判定手順Ｐ１６で全ての文字入力キーの一部に割り当てられている場合に、文字入力キーが押下されることによって、割り当てられた変換予測候補の中から、押下された文字入力キーに対応する変換予測候補を最終予測候補として決定してもよい。文字入力キーの全てに変換予測候補が割り当てられている必要はなく、変換予測候補の数に応じて、文字入力キーの配置を自由に変更することができる。よって、文字列の入力の操作性を向上させ、ユーザの視覚的、感覚的な負担の軽減、及び文字列の入力時間の短縮を図ることができる。
【００１８】
また、１以上の変換予測候補の数は、文字入力キーの数以下であってもよい。全ての文字入力キーに割り当てられなくてもよいが、文字入力キーの数を上回らない数であるとよい。このように構成することで、少ない変換予測候補から迅速に目的の候補を探すことができる。そして、１以上の変換予測候補は、特定の文字入力キーには割り当てられなくてもよい。文字入力キーの数より、変換予測候補の数が少ない場合に、例えば、采の目のように変換予測候補を配置することで、変換予測候補を確実に選択することができる。さらに、補助入力キーは、１以上の変換予測候補が割り当てられていない文字入力キーであってもよい。補助入力キーが、変換予測候補が割り当てられていない文字入力キーに割り当てられることで、新たに補助入力キーを設置する必要が無くなり、携帯機器の部品数の減少、及び操作をより容易にすることができる。よって、文字列の入力の操作性を向上させ、ユーザの視覚的、感覚的な負担の軽減、及び文字列の入力時間の短縮を図ることができる。
【００１９】
まず、図２を参照して、本発明の携帯機器の実施形態の構成を説明する。図２は、本発明の携帯機器の実施形態を示す概略図である。図２に示すように、文字入力部１０−１は、文字列を取得する。例えば、携帯電話のテンキーの「１」から「９」の９個、又は「０」、文字入力キーの「＃」及び「＊」を含めて１２個である。文字変換予測部１１は、文字列を変換する際に、文字列と文字列の前後の文字列との関連性から、最適な変換候補を予測する変換予測を行う。補助入力部１２−１は、押下されることで、予測抽出部１３において抽出された１以上の変換予測候補を、文字入力部１０−１と同じ配置へ割り当てる指示である予測割当指示を取得する。補助入力部１２−１は、例えば、携帯電話のテンキーとは異なる、携帯電話の筐体のいずれかの場所に設けられたキーである。この際、補助入力部１２−１及び文字入力部１０−１は、同時に押下されても、個別に押下されてもよい。予測割当指示とは、予測抽出部１３において抽出された１以上の変換予測候補を、文字入力部１０−１と同じ配置へ割り当てる指示である。
【００２０】
予測抽出部１３は、文字変換予測部１１において変換予測した文字列について、変換後に決定される可能性が高い順に並び換え、並び換えた１以上の変換予測候補を抽出して表示する。予測判定部１４は、予測抽出部１３において、１以上の変換予測候補が抽出されたか否か判定する。予測割当部１５は、予測抽出部１３において抽出された１以上の変換予測候補を、文字入力部１０−１と同じ配置へ割り当てる。割当判定部１６は、予測割当部１５において、予測判定部１４で抽出されたと判定された１以上の変換予測候補が、文字入力部１０−１の全てに割り当てられたか否か判定する。変換決定部１７は、割当判定部１６において文字入力部１０−１の全てに割り当てられている場合に、文字入力部１０−１が押下されることによって最終予測候補指示を取得する。最終予測候補指示は、割り当てられた変換予測候補の中から、押下された文字入力部１０−１に対応する予測変換候補を最終予測候補として決定する。表示部１８−１は、変換決定部１７において決定した最終予測候補を表示する。例えば、携帯電話の液晶画面である。
【００２１】
以上説明したように、文字列の入力の操作性を向上させることで、ユーザの視覚的、感覚的な負担の軽減、及び文字列の入力時間の短縮を図ることができる。
【００２２】
また、予測割当部１５において、文字入力部１０−１及び補助入力部１２−１が同時に押下された場合は、割当判定部１６において、予測判定部１４で抽出されたと判定された１以上の変換予測候補が、文字入力部１０−１の全てに割り当てられたか否か判定してもよい。文字入力部１０−１及び補助入力部１２−１を同時に押下することで、文字入力中、又は文字変換中いずれかを確実に判断できる。よって、文字列の入力の操作性を向上させ、ユーザの視覚的、感覚的な負担の軽減、及び文字列の入力時間の短縮を図ることができる。
【００２３】
また、変換決定部１７において、割当判定部１６で全ての文字入力部１０−１の一部に割り当てられている場合に、文字入力部１０−１が押下されることによって、割り当てられた変換予測候補の中から、押下された文字入力部１０−１に対応する変換予測候補を最終予測候補として決定してもよい。文字入力部１０−１の全てに変換予測候補が割り当てられている必要はなく、変換予測候補の数に応じて、文字入力部１０−１の配置を自由に変更することができる。よって、文字列の入力の操作性を向上させ、ユーザの視覚的、感覚的な負担の軽減、及び文字列の入力時間の短縮を図ることができる。
【００２４】
また、１以上の変換予測候補の数は、文字入力部１０−１の数以下であってもよい。全ての文字入力部１０−１に割り当てられなくてもよいが、文字入力部１０−１の数を上回らない数であるとよい。このように構成することで、少ない変換予測候補から迅速に目的の候補を探すことができる。そして、１以上の変換予測候補は、特定の文字入力部１０−１には割り当てられなくてもよい。文字入力部１０−１の数より、変換予測候補の数が少ない場合に、例えば、采の目のように変換予測候補を配置することで、変換予測候補を確実に選択することができる。さらに、補助入力部１２−１は、１以上の変換予測候補が割り当てられていない文字入力部１０−１であってもよい。補助入力部１２−１が、変換予測候補が割り当てられていない文字入力部１０−１に割り当てられることで、新たに補助入力部１２−１を設置する必要が無くなり、携帯機器の部品数の減少、及び操作をより容易にすることができる。よって、文字列の入力の操作性を向上させ、ユーザの視覚的、感覚的な負担の軽減、及び文字列の入力時間の短縮を図ることができる。
【００２５】
ここで、図３を参照して、本発明の携帯機器の実施形態の構成を説明する。図３は、本発明の携帯機器の実施形態を示す概略図である。表示部１８−２は、携帯機器１００を操作した結果を表示する。例えば、液晶画面である。文字入力部１０−２は、携帯機器１００を操作する指示を取得する。例えば、電話番号を入力するテンキーである。補助入力部１２−２は、携帯機器１００を操作する際に、別の動作を付加する。変換予測候補２０は、文字入力部１０−２から文字列を取得し、同時又は個別に補助入力部１２−２を押下することで、文字入力部１０−２と同じ配列に割り当てられ、表示部１８−２へ表示される。図３においては、文字入力部１０−２と同じ配列で表示されているが、文字入力部１０−２と異なる配列で表示してもよい。そして、変換予測候補２０に該当する文字入力部１０−２を押下することで、変換予測候補２０は確定する。表示部１８−２へ、文字入力部１０−２と同じ配列で表示されるため、変換予測候補２０を容易に選択することができる。
【００２６】
次に、図４を参照して、本発明の携帯機器の制御プログラムの実施形態を説明する。図４は、本発明の携帯機器の制御プログラムを示すフローチャートである。図４に示すように、まず、文字入力ステップＳ１０において、少なくとも一つの文字入力キーが押下されることによって入力される文字列を取得する。文字入力キーとは、例えば、携帯電話のテンキーである。次に、文字変換予測ステップＳ１１において、文字入力ステップＳ１０において取得した文字列を含む単語について、文字列と文字列の前後の文字列との関連性から、最適な変換候補を予測する変換予測を行う。そして、予測抽出ステップＳ１３において、文字変換予測ステップＳ１１において変換予測した文字列について、変換後に決定される可能性が高い順に並び換え、並び換えた１以上の変換予測候補を抽出して表示する。さらに、予測判定ステップＳ１４において、予測抽出ステップＳ１３で１以上の変換予測候補が抽出されたか否か判定する。ここで、予測割当ステップＳ１５において、補助入力キーが押下されることによって予測割当指示を取得する。予測割当指示とは、予測抽出ステップＳ１３において抽出された１以上の変換予測候補を、文字入力キーと同じ配置へ割り当てる指示である。
【００２７】
補助入力キーは、押下されることで、予測抽出ステップＳ１３において抽出された１以上の変換予測候補を、文字入力キーと同じ配置へ割り当てる指示である予測割当指示を取得する。補助入力キーは、例えば、携帯電話のテンキーとは異なる、携帯電話の筐体のいずれかの場所に設けられたキーである。そして、割当判定ステップＳ１６において、予測判定ステップＳ１４で抽出されたと判定された１以上の変換予測候補が、文字入力キーの全てに割り当てられたか否か判定する。なお、割り当てられる順序は問わない。文字列と文字列の前後の文字列との関連性から、より最適であると予測された変換候補の隣に、関連性が低いと予測された変換候補が配置されていてもよい。このように配置することで、誤った変換候補を選択する可能性を低くすることができる。さらに、変換決定ステップＳ１７において、割当判定ステップＳ１６において文字入力キーの全てに割り当てられている場合に、文字入力キーが押下されることによって最終予測候補指示を取得する。最終予測候補指示とは、割り当てられた変換予測候補の中から、押下された文字入力キーに対応する予測変換候補を最終予測候補として決定することである。そして、表示ステップＳ１８において、変換決定ステップＳ１７で決定した最終予測候補を表示する。
【００２８】
以上説明したように、文字列の入力の操作性を向上させることで、ユーザの視覚的、感覚的な負担の軽減、及び文字列の入力時間の短縮を図ることができる。
【００２９】
また、予測割当ステップＳ１５において、文字入力キー及び補助入力キーが同時に押下された場合は、割当判定ステップＳ１６において、予測判定ステップＳ１４で抽出されたと判定された１以上の変換予測候補が、文字入力キーの全てに割り当てられたか否か判定してもよい。文字入力キー及び補助入力キーを同時に押下することで、文字入力中、又は文字変換中いずれかを確実に判断できる。よって、文字列の入力の操作性を向上させ、ユーザの視覚的、感覚的な負担の軽減、及び文字列の入力時間の短縮を図ることができる。
【００３０】
また、変換決定ステップＳ１７において、割当判定ステップＳ１６で全ての文字入力キーの一部に割り当てられている場合に、文字入力キーが押下されることによって、割り当てられた変換予測候補の中から、押下された文字入力キーに対応する変換予測候補を最終予測候補として決定してもよい。文字入力キーの全てに変換予測候補が割り当てられている必要はなく、変換予測候補の数に応じて、文字入力キーの配置を自由に変更することができる。よって、文字列の入力の操作性を向上させ、ユーザの視覚的、感覚的な負担の軽減、及び文字列の入力時間の短縮を図ることができる。
【００３１】
また、１以上の変換予測候補の数は、文字入力キーの数以下であってもよい。全ての文字入力キーに割り当てられなくてもよいが、文字入力キーの数を上回らない数であるとよい。このように構成することで、少ない変換予測候補から迅速に目的の候補を探すことができる。そして、１以上の変換予測候補は、特定の文字入力キーには割り当てられなくてもよい。文字入力キーの数より、変換予測候補の数が少ない場合に、例えば、采の目のように変換予測候補を配置することで、変換予測候補を確実に選択することができる。さらに、補助入力キーは、１以上の変換予測候補が割り当てられていない文字入力キーであってもよい。補助入力キーが、変換予測候補が割り当てられていない文字入力キーに割り当てられることで、新たに補助入力キーを設置する必要が無くなり、携帯機器の部品数の減少、及び操作をより容易にすることができる。よって、文字列の入力の操作性を向上させ、ユーザの視覚的、感覚的な負担の軽減、及び文字列の入力時間の短縮を図ることができる。
【００３２】
上記の実施形態の一部又は全部は、以下の付記のようにも記載されうるが、以下には限られない。
【００３３】
（付記１）
少なくとも一つの文字入力キーが押下されることによって入力される文字列を取得する文字入力手順と、
前記文字入力手順において取得した前記文字列を含む単語について、前記文字列と前記文字列の前後の文字列との関連性から、最適な変換候補を予測する変換予測を行う文字変換予測手順と、
前記文字変換予測手順において変換予測した文字列について、変換後に決定される可能性が高い順に並び換え、並び換えた１以上の変換予測候補を抽出して表示する予測抽出手順と、
前記予測抽出手順において、前記１以上の変換予測候補が抽出されたか否か判定する予測判定手順と、
補助入力キーが押下されることによって予測割当指示を取得し、前記予測抽出手順において抽出された前記１以上の変換予測候補を、前記文字入力キーと同じ配置へ割り当てる予測割当手順と、
前記予測割当手順において、前記予測判定手順で抽出されたと判定された前記１以上の変換予測候補が、前記文字入力キーの全てに割り当てられたか否か判定する割当判定手順と、
前記割当判定手順において前記文字入力キーの全てに割り当てられている場合に、前記文字入力キーが押下されることによって最終予測候補指示を取得し、前記割り当てられた変換予測候補の中から、押下された文字入力キーに対応する予測変換候補を最終予測候補として決定する変換決定手順と、
前記変換決定手順において決定した前記最終予測候補を表示する表示手順と、
を順に有する携帯機器の制御方法。
（付記２）
前記予測割当手順において、前記文字入力キー及び前記補助入力キーが同時に押下された場合は、前記割当判定手順において、前記予測判定手順で抽出されたと判定された前記１以上の変換予測候補が、前記文字入力キーの全てに割り当てられたか否か判定することを特徴とする付記１に記載の携帯機器の制御方法。
（付記３）
前記変換決定手順において、前記割当判定手順で全ての前記文字入力キーの一部に割り当てられている場合に、前記文字入力キーが押下されることによって、前記割り当てられた変換予測候補の中から、押下された文字入力キーに対応する変換予測候補を最終予測候補として決定することを特徴とする付記１又は２に記載の携帯機器の制御方法。
（付記４）
前記１以上の変換予測候補の数は、前記文字入力キーの数以下であることを特徴とする付記１から３のいずれかに記載の携帯機器の制御方法。
（付記５）
前記１以上の変換予測候補は、特定の文字入力キーには割り当てられないことを特徴とする付記１から４のいずれかに記載の携帯機器の制御方法。
（付記６）
前記補助入力キーは、前記１以上の変換予測候補が割り当てられていない文字入力キーであることを特徴とする付記１から５のいずれかに記載の携帯機器の制御方法。
（付記７）
押下されることによって入力される文字列を取得する少なくとも一つの文字入力部と、
前記文字入力部において取得した前記文字列を含む単語について、前記文字列と前記文字列の前後の文字列との関連性から、最適な変換候補を予測する変換予測を行う文字変換予測部と、
前記文字変換予測部において変換予測した文字列について、変換後に決定される可能性が高い順に並び換え、並び換えた１以上の変換予測候補を抽出して表示する予測抽出部と、
前記予測抽出部において、前記１以上の変換予測候補が抽出されたか否か判定する予測判定部と、
押下されることで、前記予測抽出部において抽出された前記１以上の変換予測候補を、前記文字入力部と同じ配置へ割り当てる指示である予測割当指示を取得する補助入力部と、
前記補助入力部が押下されることによって予測割当指示を取得し、前記予測抽出部において抽出された前記１以上の変換予測候補を、前記文字入力部と同じ配置へ割り当てる予測割当部と、
前記予測割当部において、前記予測判定部で抽出されたと判定された前記１以上の変換予測候補が、前記文字入力部の全てに割り当てられたか否か判定する割当判定部と、
前記割当判定部において前記文字入力部の全てに割り当てられている場合に、前記文字入力部が押下されることによって最終予測候補指示を取得し、前記割り当てられた変換予測候補の中から、押下された文字入力部に対応する予測変換候補を最終予測候補として決定する変換決定部と、
前記変換決定部において決定した前記最終予測候補を表示する表示部とを備える携帯機器。
（付記８）
前記予測割当部において、前記文字入力部及び前記補助入力部が同時に押下された場合は、前記割当判定部において、前記予測判定部で抽出されたと判定された前記１以上の変換予測候補が、前記文字入力部の全てに割り当てられたか否か判定することを特徴とする付記７に記載の携帯機器。
（付記９）
前記変換決定部において、前記割当判定部で全ての前記文字入力部の一部に割り当てられている場合に、前記文字入力部が押下されることによって、前記割り当てられた変換予測候補の中から、押下された文字入力部に対応する変換予測候補を最終予測候補として決定することを特徴とする付記７又は８に記載の携帯機器。
（付記１０）
前記１以上の変換予測候補の数は、前記文字入力部の数以下であることを特徴とする付記７から９のいずれかに記載の携帯機器。
（付記１１）
前記１以上の変換予測候補は、特定の文字入力部には割り当てられないことを特徴とする付記７から１０のいずれかに記載の携帯機器。
（付記１２）
前記補助入力部は、前記１以上の変換予測候補が割り当てられていない文字入力部であることを特徴とする付記７から１１のいずれかに記載の携帯機器。
（付記１３）
少なくとも一つの文字入力キーが押下されることによって入力される文字列を取得する文字入力ステップと、
前記文字入力ステップにおいて取得した前記文字列を含む単語について、前記文字列と前記文字列の前後の文字列との関連性から、最適な変換候補を予測する変換予測を行う文字変換予測ステップと、
前記文字変換予測ステップにおいて変換予測した文字列について、変換後に決定される可能性が高い順に並び換え、並び換えた１以上の変換予測候補を抽出して表示する予測抽出ステップと、
前記予測抽出ステップにおいて、前記１以上の変換予測候補が抽出されたか否か判定する予測判定ステップと、
補助入力キーが押下されることによって予測割当指示を取得し、前記予測抽出ステップにおいて抽出された前記１以上の変換予測候補を、前記文字入力キーと同じ配置へ割り当てる予測割当ステップと、
前記予測割当ステップにおいて、前記予測判定ステップで抽出されたと判定された前記１以上の変換予測候補が、前記文字入力キーの全てに割り当てられたか否か判定する割当判定ステップと、
前記割当判定ステップにおいて前記文字入力キーの全てに割り当てられている場合に、前記文字入力キーが押下されることによって最終予測候補指示を取得し、前記割り当てられた変換予測候補の中から、押下された文字入力キーに対応する予測変換候補を最終予測候補として決定する変換決定ステップと、
前記変換決定ステップにおいて決定した前記最終予測候補を表示する表示ステップと、
を順に携帯機器に実行させる携帯機器の制御プログラム。
（付記１４）
前記予測割当ステップにおいて、前記文字入力キー及び前記補助入力キーが同時に押下された場合は、前記割当判定ステップにおいて、前記予測判定ステップで抽出されたと判定された前記１以上の変換予測候補が、前記文字入力キーの全てに割り当てられたか否か判定することを特徴とする付記１３に記載の携帯機器に実行させる携帯機器の制御プログラム。
（付記１５）
前記変換決定ステップにおいて、前記割当判定ステップで全ての前記文字入力キーの一部に割り当てられている場合に、前記文字入力キーが押下されることによって、前記割り当てられた変換予測候補の中から、押下された文字入力キーに対応する変換予測候補を最終予測候補として決定することを特徴とする付記１３又は１４に記載の携帯機器に実行させる携帯機器の制御プログラム。
（付記１６）
前記１以上の変換予測候補の数は、前記文字入力キーの数以下であることを特徴とする付記１３から１５のいずれかに記載の携帯機器に実行させる携帯機器の制御プログラム。
（付記１７）
前記１以上の変換予測候補は、特定の文字入力キーには割り当てられないことを特徴とする付記１３から１６のいずれかに記載の携帯機器に実行させる携帯機器の制御プログラム。
（付記１８）
前記補助入力キーは、前記１以上の変換予測候補が割り当てられていない文字入力キーであることを特徴とする付記１３から１７のいずれかに記載の携帯機器に実行させる携帯機器の制御プログラム。
【符号の説明】
【００３４】
１０−１，１０−２：文字入力部
１１：文字変換予測部
１２−１，１２−２：補助入力部
１３：予測抽出部
１４：予測判定部
１５：予測割当部
１６：割当判定部
１７：変換決定部
１８−１，１８−２：表示部
２０：変換予測候補
Ｐ１０：文字入力手順
Ｐ１１：文字変換予測手順
Ｐ１３：予測抽出手順
Ｐ１４：予測判定手順
Ｐ１５：予測割当手順
Ｐ１６：割当判定手順
Ｐ１７：変換決定手順
Ｐ１８：表示手順
Ｓ１０：文字入力ステップ
Ｓ１１：文字変換予測ステップ
Ｓ１３：予測抽出ステップ
Ｓ１４：予測判定ステップ
Ｓ１５：予測割当ステップ
Ｓ１６：割当判定ステップ
Ｓ１７：変換決定ステップ
Ｓ１８：表示ステップ
【図１】
2011238012.tif 000003
【図２】
2011238012.tif 000004
【図３】
2011238012.tif 000005
【図４】
2011238012.tif 000006